(57)【要約】【課題】作業者が片手でスムーズに水準器などの作業用小型器具を取り外すことができる使い勝手の良い作業用小型器具用ホルダーを提供することを目的とする。【解決手段】ブラケット２のブラケット挿入部３からの抜脱を防止する抜脱防止係合部４のブラケット２との抜脱防止係合を解除する親指操作部５が、水準器20を片手の指で下方から支持して上方に引き上げてホルダー本体部１から取り外す際、この水準器20を引き上げる片手の親指で作業者から離れる外側方向に押動操作する構成とされている作業用小型器具用ホルダー。【選択図】図１
2020165860.tif 000002
【特許請求の範囲】
【請求項１】
水準器や巻尺などの作業者が携帯可能な作業用小型器具を前記作業者の腰部に装着するための作業用小型器具用ホルダーであって、前記作業者の腰部に着脱自在に装着されるホルダー本体部に、前記作業用小型器具に取り付けられているブラケットが上方から下方に向かってスライド挿入されるブラケット挿入部が設けられ、このブラケット挿入部に前記ブラケットを上方から下方に向かってスライド挿入することで自動的に前記ブラケットに抜脱防止係合して、前記ブラケットの前記スライド挿入部からの上方への抜脱を防止する抜脱防止係合部が設けられ、この抜脱防止係合部に、前記ブラケットを介して前記ホルダー本体部に取り付けられる前記作業用小型器具を片手の指で下方から支持して上方に引き上げ該ホルダー本体部から取り外す際、この作業用小型器具を引き上げる前記片手の親指で前記作業者から離れる方向に押動操作されることで前記抜脱防止係合部が前記作業者側に退避可動し、この抜脱防止係合部の前記ブラケットとの抜脱防止係合が解除されて、前記作業用小型器具を片手で前記ホルダー本体部から取り外す親指操作部が設けられていることを特徴とする作業用小型器具用ホルダー。
【請求項２】
前記抜脱防止係合部は、上部側に前記親指操作部が設けられ、下部側に前記ブラケットと抜脱防止係合する係合爪部が設けられ、この係合爪部は、付勢部の付勢により前記ブラケット挿入部にスライド挿入される前記ブラケットの抜脱を防止する抜脱防止係合位置に没動自在に配設され、前記ブラケットが前記ブラケット挿入部にスライド挿入される際、前記ブラケットの押圧作用により前記付勢部の付勢力に抗して没動し、このブラケットの押圧作用が解除されることで前記付勢部の付勢力により前記抜脱防止係合位置に戻り移動して前記ブラケットと抜脱防止係合し、前記ブラケットの前記ブラケット挿入部からの抜脱を防止するように構成されていることを特徴とする請求項１記載の作業用小型器具用ホルダー。
【請求項３】
前記親指操作部及び前記係合爪部は、前記抜脱防止係合部に一体形成されており、この抜脱防止係合部は、前記親指操作部と前記係合爪部との間に軸部が設けられ、この軸部を介して前記ホルダー本体部に回動自在に設けられて、前記親指操作部が前記作業者から離れる方向に押動操作されることで、前記係合爪部が前記付勢部の付勢力に抗して前記作業者の身体側に退避回動して、前記ブラケットとの抜脱防止係合を解除するように構成されていることを特徴とする請求項２記載の作業用小型器具用ホルダー。
【請求項４】
前記親指操作部には、この親指操作部を前記作業者から離れる外側方向に押動操作する手の親指を掛止する指掛け部が設けられていることを特徴とする請求項１〜３のいずれか１項に記載の作業用小型器具用ホルダー。
【請求項５】
前記作業用小型器具であるハンディタイプの水準器を前記作業者の腰部に装着するための作業用小型器具用ホルダーであって、前記作業者の腰部に着脱自在に装着される前記ホルダー本体部に、前記水準器の中央位置に取り付けられている前記ブラケットが前記水準器を横長状態にした状態で上方から下方に向かってスライド挿入される前記ブラケット挿入部が設けられ、このブラケット挿入部に前記ブラケットを上方から下方に向かってスライド挿入することで自動的に前記ブラケットに抜脱防止係合して、前記ブラケットの前記スライド挿入部からの上方への抜脱を防止する前記抜脱防止係合部が設けられ、この抜脱防止係合部に、前記ブラケットを介して前記ホルダー本体部に横長状態で取り付けられる前記水準器を片手の指で下方から支持して上方に引き上げ該ホルダー本体部から取り外す際、この水準器を引き上げる前記片手の親指で前記作業者から離れる方向に押動操作されることで前記抜脱防止係合部が前記作業者側に退避可動し、この抜脱防止係合部の前記ブラケットとの抜脱防止係合が解除されて、横長状態の前記水準器を片手で前記ホルダー本体部から取り外す前記親指操作部が設けられていることを特徴とする請求項１〜４のいずれか１項に記載の作業用小型器具用ホルダー。
【発明の詳細な説明】
【技術分野】
【０００１】
本発明は、水準器や巻尺などの作業者が携帯可能な作業用小型器具を作業者の腰部に装着するための作業用小型器具用ホルダーに関するものである。
【背景技術】
【０００２】
従来、この種のホルダーは、作業の際に邪魔にならないように作業者の腰部の側部付近に装着されることが多い。そのため、このホルダーに対する小型器具の着脱操作は、通常、片手で行われることになる。
【０００３】
ゆえに、この種のホルダーは、作業者が片手で簡易に着脱操作することができるように、一般的には小型器具に取り付けたブラケットをホルダーに設けられた挿入部に差し入れることで、自動的にブラケットが挿入部内でロック状態になってこの挿入部から抜脱不能になり、これにより小型器具がホルダーに保持され、また、ホルダーに設けられた操作ボタン（操作部）を操作することで、ブラケットのロック状態が解除されて、小型器具をホルダーから取り外せるように構成されている。
【０００４】
ところで、従来のホルダーは、特許文献１〜５に示すように、ブラケットをホルダーに設けられた挿入部に上方から下方に向かって差し入れるタイプのものが殆どである。そのため、小型器具をホルダーから取り外す際は、操作ボタンを操作してロックを解除状態にしながら小型器具を上方に引き上げる操作を要するものとなっている。
【０００５】
よって、このホルダーにおいては、ロック解除時の操作ボタンの操作性も重要なものとなっている。
【０００６】
この操作ボタンに関しては、従来、様々なタイプのものが提案されており、例えば、特許文献１，２に示されるような押しボタンタイプに構成され、ホルダー上部に設けられ、上方から押し下げ操作するタイプのもの、特許文献３に示されるような押しボタンタイプに構成され、ホルダーの側面に設けられ、内方に押し入れ操作するタイプのもの、特許文献４，５に示されるようなスライドタイプに構成され、側方に向かってスライド操作するものなどがある。
【先行技術文献】
【特許文献】
【０００７】
【特許文献１】特開平１０−２００６１４号公報
【特許文献２】特開２０１４−１０４５１８号公報
【特許文献３】特開平９−２７２０７８号公報
【特許文献４】特開２００４−６６３７７号公報
【特許文献５】特開２０１０−２３１２３号公報
【発明の概要】
【発明が解決しようとする課題】
【０００８】
しかしながら、上述した従来のホルダーに設けられている操作ボタンは、いずれも小型器具の引き上げ操作しながら操作するにはその位置取りや操作方向に難があり、ゆえに、従来のホルダーは、この操作ボタンを操作する際に、操作する指に違和感を覚えたり、操作時に操作する手の肘や肩に負担がかかったり、或いは、一連の指操作で小型器具を引き上げることができなかったり、さらにはどうしてももう一方の手を添えなければならなかったりするなどの問題を有しており、作業者が片手で小型器具をホルダーから簡易に且つスムーズに取り外すことができないものであった。
【０００９】
本発明は、このような現状に鑑みなされたものであり、操作ボタンの操作性を改善し、作業者が片手で操作ボタンの解除操作を行いながら容易に小型器具を引き上げ操作することができ、スムーズに小型器具をホルダーから取り外すことができる使い勝手の良い作業用小型器具用ホルダーを提供することを目的とする。
【課題を解決するための手段】
【００１０】
添付図面を参照して本発明の要旨を説明する。
【００１１】
水準器や巻尺などの作業者が携帯可能な作業用小型器具20を前記作業者の腰部に装着するための作業用小型器具用ホルダーであって、前記作業者の腰部に着脱自在に装着されるホルダー本体部１に、前記作業用小型器具20に取り付けられているブラケット２が上方から下方に向かってスライド挿入されるブラケット挿入部３が設けられ、このブラケット挿入部３に前記ブラケット２を上方から下方に向かってスライド挿入することで自動的に前記ブラケット２に抜脱防止係合して、前記ブラケット２の前記スライド挿入部３からの上方への抜脱を防止する抜脱防止係合部４が設けられ、この抜脱防止係合部４に、前記ブラケット２を介して前記ホルダー本体部１に取り付けられる前記作業用小型器具20を片手の指で下方から支持して上方に引き上げ該ホルダー本体部１から取り外す際、この作業用小型器具20を引き上げる前記片手の親指で前記作業者から離れる方向に押動操作されることで前記抜脱防止係合部４が前記作業者側に退避可動し、この抜脱防止係合部４の前記ブラケット２との抜脱防止係合が解除されて、前記作業用小型器具20を片手で前記ホルダー本体部１から取り外す親指操作部５が設けられていることを特徴とする作業用小型器具用ホルダーに係るものである。
【００１２】
また、前記抜脱防止係合部４は、上部側に前記親指操作部５が設けられ、下部側に前記ブラケット２と抜脱防止係合する係合爪部６が設けられ、この係合爪部６は、付勢部７の付勢により前記ブラケット挿入部３にスライド挿入される前記ブラケット２の抜脱を防止する抜脱防止係合位置に没動自在に配設され、前記ブラケット２が前記ブラケット挿入部３にスライド挿入される際、前記ブラケット２の押圧作用により前記付勢部７の付勢力に抗して没動し、このブラケット２の押圧作用が解除されることで前記付勢部７の付勢力により前記抜脱防止係合位置に戻り移動して前記ブラケット２と抜脱防止係合し、前記ブラケット２の前記ブラケット挿入部３からの抜脱を防止するように構成されていることを特徴とする請求項１記載の作業用小型器具用ホルダーに係るものである。
【００１３】
また、前記親指操作部５及び前記係合爪部６は、前記抜脱防止係合部４に一体形成されており、この抜脱防止係合部４は、前記親指操作部５と前記係合爪部６との間に軸部８が設けられ、この軸部８を介して前記ホルダー本体部１に回動自在に設けられて、前記親指操作部５が前記作業者から離れる方向に押動操作されることで、前記係合爪部６が前記付勢部７の付勢力に抗して前記作業者の身体側に退避回動して、前記ブラケット２との抜脱防止係合を解除するように構成されていることを特徴とする請求項２記載の作業用小型器具用ホルダーに係るものである。
【００１４】
また、前記親指操作部５には、この親指操作部５を前記作業者から離れる外側方向に押動操作する手の親指を掛止する指掛け部５ａが設けられていることを特徴とする請求項１〜３のいずれか１項に記載の作業用小型器具用ホルダーに係るものである。
【００１５】
また、前記作業用小型器具20であるハンディタイプの水準器20を前記作業者の腰部に装着するための作業用小型器具用ホルダーであって、前記作業者の腰部に着脱自在に装着される前記ホルダー本体部１に、前記水準器20の中央位置に取り付けられている前記ブラケット２が前記水準器20を横長状態にした状態で上方から下方に向かってスライド挿入される前記ブラケット挿入部３が設けられ、このブラケット挿入部３に前記ブラケット２を上方から下方に向かってスライド挿入することで自動的に前記ブラケット２に抜脱防止係合して、前記ブラケット２の前記スライド挿入部３からの上方への抜脱を防止する前記抜脱防止係合部４が設けられ、この抜脱防止係合部４に、前記ブラケット２を介して前記ホルダー本体部１に横長状態で取り付けられる前記水準器20を片手の指で下方から支持して上方に引き上げ該ホルダー本体部１から取り外す際、この水準器20を引き上げる前記片手の親指で前記作業者から離れる方向に押動操作されることで前記抜脱防止係合部４が前記作業者側に退避可動し、この抜脱防止係合部４の前記ブラケット２との抜脱防止係合が解除されて、横長状態の前記水準器20を片手で前記ホルダー本体部１から取り外す前記親指操作部５が設けられていることを特徴とする請求項１〜４のいずれか１項に記載の作業用小型器具用ホルダーに係るものである。
【発明の効果】
【００１６】
本発明は上述のように構成したから、作業者が片手で親指操作部の押動操作を行いながら容易に作業用小型器具を引き上げ操作することができ、スムーズに作業用小型器具をホルダー本体部から取り外すことができる使い勝手の良い作業用小型器具用ホルダーとなる。
【図面の簡単な説明】
【００１７】
【図１】本実施例のホルダー本体部及びブラケットを示す斜視図である。
【図２】本実施例のホルダー本体部を示す分解斜視図である。
【図３】本実施例に水準器を横長状態で取り付けた状態を示す説明正断面図である。
【図４】図３における要部の説明平断面図である。
【図５】本実施例の操作例を示す説明側断面図である。
【図６】本実施例の操作例を示す説明平面図である。
【図７】本実施例の操作例を示す説明側断面図である。
【図８】本実施例の係合爪部の動作説明図である。
【図９】本実施例に水準器を縦長状態で取り付けた状態を示す説明正断面図である。
【図１０】本実施例の使用状態を示す斜視図である。
【発明を実施するための形態】
【００１８】
好適と考える本発明の実施形態を、図面に基づいて本発明の作用を示して簡単に説明する。
【００１９】
本発明は、作業者の腰部に着脱自在に装着され、作業用小型器具20を本発明に取り付けることで、作業用小型器具20を手で持たなくても携帯することができる。
【００２０】
本発明への作業用小型器具20の取り付けは、従来のものと同様、作業用小型器具20に取り付けられたブラケット２を、作業者の腰部の側部付近に装着されたホルダー本体部１のブラケット挿入部３に上方から下方に向かってスライド挿入することで、ホルダー本体部１に設けられた抜脱防止係合部４が自動的にブラケット２に抜脱防止係合して、ブラケット２のブラケット挿入部３からの抜脱が防止され、これにより、作業用小型器具20がホルダー本体部１に取り付け保持される。
【００２１】
また、このホルダー本体部１に取り付けられた作業用小型器具20をホルダー本体部１から取り外す際は、作業者のホルダー本体部１が装着されている側の手を作業用小型器具20に添え、この手の親指以外の指で作業用小型器具20を下方から支持すると共に、この手の親指を親指操作部５にあてがい、この親指操作部５にあてがわせた親指でこの親指操作部５をこの作業者の身体から離れる方向に向かって押動操作し、この親指操作部５の押動操作によりブラケット２に抜脱防止係合している抜脱防止係合部４を退避可動させて、この抜脱防止係合部４のブラケット２との抜脱防止係合を解除しながら、作業用小型器具20を下方から支持している指でこの作業用小型器具20を上方に引き上げ操作して、ブラケット２をブラケット挿入部３から離脱させることで、作業用小型器具20をホルダー本体部１から取り外すことができる。
【００２２】
すなわち、本発明は、ブラケット２のブラケット挿入部３からの抜脱を防止する抜脱防止係合部４の抜脱防止係合を解除する際に操作する親指操作部５を、作業者の身体から離れる（遠ざかる）方向に向かって押動操作するようにしたから、すなわち、言い換えると、本発明は、この親指操作部５の操作方向を、この親指操作部５を押動操作する親指を最も移動させやすいブラケット２を介してホルダー本体部１の外側に沿設状態に取り付けられた作業用小型器具20にあてがっている手の人差し指に接近する方向としたから、作業用小型器具20を上方へ引き上げる操作をしながらでもこの親指操作部５の押動操作を親指で無理なく容易に操作することができ、しかも、この押動操作し終えた親指をそのまま作業用小型器具20にあてがって作業用小型器具20を下方から支持している指と共にこの作業用小型器具20を握時することができるので、作業用小型器具20をしっかりと持った状態でホルダー本体部１から作業用小型器具20をスムーズに取り外すことができる。
【００２３】
このように、本発明は、作業者が片手で親指操作部５の押動操作を行いながら、容易に作業用小型器具20を引き上げ操作することができ、スムーズに作業用小型器具20をホルダー本体部１から取り外すことができる使い勝手の良い作業用小型器具用ホルダーとなる。
【実施例】
【００２４】
本発明の具体的な実施例について図面に基づいて説明する。
【００２５】
本実施例は、作業用小型器具20であるハンディタイプの横長方形状の水準器20（以下、単に水準器20と称す。）を作業者の腰部に装着し携帯するための水準器ホルダーであり、図１に示すように、作業者の腰部に着脱自在に装着されるホルダー本体部１と、水準器20に取り付けられるブラケット２とからなるものである。
【００２６】
具体的には、ホルダー本体部１は、水準器20に取り付けられているブラケット２が上方から下方に向かってスライド挿入されるブラケット挿入部３と、このブラケット挿入部３にブラケット２を上方から下方に向かってスライド挿入することで自動的にブラケット２に抜脱防止係合して、ブラケット２のスライド挿入部３からの上方への抜脱を防止する抜脱防止係合部４が設けられ、この抜脱防止係合部４には、この抜脱防止係合部４のブラケット２との抜脱防止係合を解除するための親指操作部５が設けられ、ブラケット２を介してホルダー本体部１に取り付けられる水準器20を片手の指で下方から支持して上方に引き上げてこのホルダー本体部１から取り外す際、この水準器20を引き上げる片手の親指で作業者から離れる方向に親指操作部５を押動操作することで、抜脱防止係合部４が作業者側に退避可動し、抜脱防止係合部４のブラケット２との抜脱防止係合が解除されて、水準器20を片手でホルダー本体部１から取り外すことができるように構成されている。
【００２７】
より具体的には、ホルダー本体部１は、図２に示すように、ホルダーベース部１ａと、このホルダーベース部１ａに重ね合わせ状態に設けられるホルダーカバー部１ｂとで構成され、ホルダーベース部１ａ側に、ホルダー本体部１を作業者に装着するためのベルト挿通部９と、ブラケット挿入部３にスライド挿入されるブラケット２のスライド移動時のガタツキを抑制するスペーサー部10と、落下防止コード30に設けられた連結環31を連結するための連結部11を形成する第一連結部形成孔11ａが設けられ、また、ホルダーカバー部１ｂ側に、ブラケット挿入部３と、抜脱防止係合部４が設けられる抜脱防止係合部配設部12と、ホルダーベース部１ａに設けられた第一連結部形成孔11ａと連通係合して連結部11を形成する第二連結部形成孔11ｂとが設けられている。
【００２８】
さらに具体的に説明すると、ベルト挿通部９は、クリップタイプに構成され、ベルトをズボンから外すことなく容易にベルトに掛合させることができるように構成されている。
【００２９】
また、スペーサー部10は、凸条部に形成され、ブラケット挿入部３をスライド移動するブラケット２に近接状態で沿設するように、このブラケット２のスライド移動方向に沿って延設され、ブラケット２が内方に位置ずれるとこのスペーサー部10に当接しブラケット２のそれ以上の内方への位置ずれを防止して、このブラケット２のスライド移動時のガタツキ（内方への位置ずれ）を抑制するように構成されている。
【００３０】
また、ブラケット挿入部３は、ホルダーカバー部１ｂの上部に形成される開口部と正面部に形成されるＹ字状の切欠部により形成され、図３に示すように、切欠部の対向する両側の垂直切欠縁がブラケット２のスライド移動を案内するガイドレール部３ａとなるように構成されている。
【００３１】
また、抜脱防止係合部４は、図２に示すように、ブラケット挿入部３にスライド挿入されたブラケット２と抜脱防止係合する係合爪部６が設けられており、この係合爪部６は、付勢部７の付勢によりブラケット挿入部３にスライド挿入されるブラケット２の抜脱を防止する抜脱防止係合位置に没動自在に配設され、ブラケット２がブラケット挿入部３にスライド挿入される際、ブラケット２の押圧作用により付勢部７の付勢力に抗して退避可動（没動）し、このブラケット２の押圧作用が解除されることで付勢部７の付勢力により抜脱防止係合位置に戻り移動してブラケット２と抜脱防止係合して、ブラケット２のブラケット挿入部３からの抜脱を防止するように構成されている。
【００３２】
また、この抜脱防止係合部４には、ブラケット２を介してホルダー本体部１に取り付けられる水準器20を片手の指で下方から支持して上方に引き上げてこのホルダー本体部１から取り外す際、前述した係合爪部６のブラケット２との抜脱防止係合を解除するための親指操作部５がこの係合爪部６の上方に設けられ、この親指操作部５は、このホルダー本体部１に取り付けられている水準器20を引き上げる片手の親指で作業者から離れる方向に押動操作するように構成されており、抜脱防止係合部４は、この親指操作部５を作業者の身体から離れる外方に向かって押動操作することで係合爪部６が付勢部７の付勢力に抗して退避可動（没動）し、この係合爪部６とブラケット２との抜脱防止係合が解除されるように構成されている。
【００３３】
すなわち、本実施例は、図５〜７に示すように、ブラケット２を介してホルダー本体部１に取り付けられる水準器20を片手の指で下方から支持して上方に引き上げてこのホルダー本体部１から取り外す際、この水準器20を引き上げる片手の親指で作業者から離れる方向に親指操作部５を押動操作することで抜脱防止係合部４が作業者側に退避可動し、抜脱防止係合部４のブラケット２との抜脱防止係合が解除され、水準器20の引き上げ操作によりブラケット２を上方にスライド移動させてブラケット挿入部３から抜脱移動させて水準器20を片手でホルダー本体部１から取り外せるように構成されている。
【００３４】
具体的には、抜脱防止係合部４は、親指操作部５、係合爪部６及び付勢部７が、図２に示すように、この抜脱防止係合部４に一体形成されており、また、この親指操作部５と係合爪部６との間に軸部８が設けられ、この軸部８を介してホルダー本体部１、具体的には、ホルダーカバー部１ｂに設けられた抜脱防止係合部配設部12に軸着され、このホルダー本体部１に対して揺動自在に設けられ、図７に示すように、ホルダー本体部１の上部に配設された親指操作部５が作業者から離れる方向に押動操作されることで、図８に示すように、係合爪部６が付勢部７の付勢力に抗して作業者の身体側に退避回動して、ブラケット２との抜脱防止係合を解除するように構成されている。
【００３５】
より具体的には、親指操作部５は、この親指操作部５を作業者から離れる外側方向に押動操作する手の親指を掛止する立壁状の指掛け部５ａが設けられており、この指掛け部５ａに親指の腹部を引っ掛けて操作することで容易にこの親指操作部５を作業者から離れる外側方向に押動操作することができるように構成されている。
【００３６】
また、係合爪部６は、前下がり傾斜面部６ａを有し、この前下がり傾斜面部６ａにブラケット挿入部３にスライド挿入されるブラケット２が当接しながら下方にスライド移動することで生じる押圧作用により付勢部７の付勢力に抗して作業者の身体に近づく方向である内側方向に没動してブラケット２のブラケット挿入部３からの抜脱を防止する抜脱防止係合位置から退避し、ブラケット２がこの前下がり傾斜面部６ａを通過し押圧作用が解除されることで、付勢部７の付勢力によりブラケット２のブラケット挿入部３からの抜脱を防止する抜脱防止係合位置に戻り移動して、ブラケット挿入部３にスライド挿入されたブラケット２と抜脱防止係合して、このブラケット２のブラケット挿入部３からの抜脱を防止するように構成されている。
【００３７】
また、付勢部７は、図２に示すように、外方に凸となるように湾曲した板バネ状に形成され、図６に示すように、先端部がホルダー本体部１のホルダーベース部１ａに当接するようにして抜脱防止係合部４の中央部に設けられ、ブラケット２のブラケット挿入部３へのスライド挿入や、図７に示すように、親指操作部５の押動操作によってホルダーベース部１ａ側に押圧され弾性変形して蓄圧され、このブラケット２のブラケット挿入部３へのスライド挿入や親指操作部５の押動操作が解除されることで、蓄圧された蓄圧力で係合爪部６を戻り移動させてこの係合爪部６を抜脱防止係合位置に位置決め付勢するように構成されている。
【００３８】
また、水準器20に取り付けられるブラケット２は、図１，４に示すように、水準器20に係止される係止部２ａと、ブラケット挿入部３内にスライド挿入されるスライダー部２ｂと、この係止部２ａとスライダー部２ｂとを連結する連結部２ｃと、これらにより係止部２ａとスライダー部２ｂとの間に形成される凹条溝部２ｄからなる構成とされている。
【００３９】
具体的には、円形状に形成されるスライダー部２ｂが、このスライダー部２ｂ及び水準器20に係止される係止部２ａよりも小形な略正方形に形成される連結部２ｃを介して係止部２ａと対向状態に設けられてなる構成とされ、上下左右の向きに関係なくこのスライダー部２ｂをブラケット挿入部３に差し入れると凹条溝部２ｄがブラケット挿入部３のガイドレール部３ａに係合し、この凹条溝部２ｄがガイドレール部３ａに沿って上下移動することでスライダー部２ｂがブラケット挿入部３内を上下方向にスライド移動するように構成されている。
【００４０】
すなわち、本実施例は、図３及び図９に示すように、水準器20を横長状態、縦長状態のいずれの状態にした状態でもブラケット２のスライダー部２ｂをブラケット挿入部３にスライド挿入することができ、水準器20をホルダー本体部１に横長状態及び縦長状態のいずれの状態でも取り付けられることができるように構成されている。
【００４１】
以上のように構成される本実施例の作用効果について以下に説明する。
【００４２】
本実施例のホルダー本体部１のベルト挿通部９を作業者の腰部の側部付近に、例えば作業者が装着しているベルトに掛合してホルダー本体部１を作業者に装着し、水準器20に取り付けたブラケット２を、この作業者に装着したホルダー本体部１のブラケット挿入部３に上方から下方に向かってスライド挿入することで、ホルダー本体部１に設けられた抜脱防止係合部４の係合爪部６がブラケット２に抜脱防止係合して、ブラケット２のブラケット挿入部３からの抜脱が防止され、これにより、水準器20を横長状態若しくは縦長状態のいずれの状態でもホルダー本体部１に保持させることができ、作業者は水準器20を手で持ったりポケットに入れたりすることなく、この水準器20を携帯することができる。
【００４３】
また、特に図１０に示すように、水準器20を作業者の腰部に横長状態にして取り付けた場合、このホルダー本体部１に取り付けられた水準器20をホルダー本体部１から取り外す際は、図５，６に示すように、作業者のホルダー本体部１が装着されている側の手を水準器20に添え、この手の親指以外の指で水準器20を下方から支持すると共に、この手の親指を親指操作部５にあてがい、図７に示すように、この親指操作部５にあてがわせた親指でこの親指操作部５の指掛け部５ａをこの作業者の身体から離れる方向に向かって押動操作して、ブラケット２に抜脱防止係合している係合爪部６を退避回動させ、この係合爪部６のブラケット２との抜脱防止係合を解除しながら、水準器20を下方から支持している指でこの水準器20を上方に引き上げ操作して、ブラケット２をブラケット挿入部３から抜脱（離脱）させることで、水準器20をホルダー本体部１から簡易にスムーズに取り外すことができる。
【００４４】
すなわち、本実施例は、ブラケット２のブラケット挿入部３からの抜脱を防止する抜脱防止係合部４の係合爪部６の抜脱防止係合を解除する際に操作する親指操作部５を、作業者の身体から離れる（遠ざかる）方向に向かって押動操作するようにしたから、すなわち、言い換えると、本実施例は、この親指操作部５の操作方向を、この親指操作部５を押動操作する親指を最も移動させやすいブラケット２を介してホルダー本体部１の外側に沿設状態に取り付けられた水準器20にあてがっている手の人差し指に接近する方向としたから、水準器20を上方へ引き上げる操作をしながらでも、この親指操作部５の押動操作を親指で無理なく容易に操作することができ、しかも、この押動操作し終えた親指をそのまま水準器20にあてがって、この水準器20を下方から支持している指と共に水準器20を握時することができるので、水準器20をしっかりと持った状態でホルダー本体部１からスムーズに取り外すことができ、この水準器20の取り出し操作において、水準器20を落下させてしまうなどの不具合が生じることが可及的に低減され使い勝手が向上する。
【００４５】
しかも、本実施例は、水準器20を磁石が設けられた測定基準面が下側になる横長状態でホルダー本体部１に取り付けることが可能であるから、携帯中の水準器20の磁石の他の工具への吸着作用が低減され、この磁石の他の工具への吸着を心配することなく安心して携帯し作業を行うことができる。
【００４６】
このように、本実施例は、作業者が片手で親指操作部５の押動操作を行いながら、容易に水準器20を引き上げ操作することができ、スムーズに水準器20をホルダー本体部１から取り外すことができ、さらに、携帯している際に水準器20の磁石21の他の工具への吸着などの不具合も生じない極めて使い勝手の良い画期的な水準器ホルダーとなる。
【００４７】
なお、本発明は、本実施例に限られるものではなく、各構成要件の具体的構成は適宜設計し得るものである。
【符号の説明】
【００４８】
１  ホルダー本体部
２  ブラケット
３  ブラケット挿入部
４  抜脱防止係合部
５  親指操作部
５ａ  指掛け部
６  係合爪部
７  付勢部
８  軸部
20  作業用小型器具，水準器
【図１】
2020165860.tif 000003
【図２】
2020165860.tif 000004
【図３】
2020165860.tif 000005
【図４】
2020165860.tif 000006
【図５】
2020165860.tif 000007
【図６】
2020165860.tif 000008
【図７】
2020165860.tif 000009
【図８】
2020165860.tif 000010
【図９】
2020165860.tif 000011
【図１０】
2020165860.tif 000012